(57)【要約】【課題】照明光を用いて自然な描写の動画撮影を行なうことができる撮像装置を提供する。【解決手段】ＲＧＢ３色のＬＥＤをストロボ光源とするストロボ装置を備え、動画撮影と静止画撮影を選択的に行うことができるデジタルスチルカメラにおいて、動画撮影時、被写界の色温度と同じ色温度の光をＣＣＤの露光期間に同期させてストロボ装置から発光させる。これにより、無駄な発光を防止して、省電力化を図ることができる。また、被写界と同じ色温度の光を露光期間中、常に発光させることにより、自然な描写の動画撮影を行なうことができる。【選択図】          図６
2004242123.tif 000002
【特許請求の範囲】
【請求項１】
撮像素子で撮像される画像を所定の周期で連続的に取り込み、動画データとして記録メディアに記録する撮像装置において、
発光ダイオードを光源とする照明手段と、
前記発光ダイオードの発光を制御する制御手段であって、前記撮像素子の露光期間に同期して前記発光ダイオードが発光するように制御する制御手段と、
を備えたことを特徴とする撮像装置。
【請求項２】
撮像素子で撮像される画像を所定の周期で連続的に取り込み、動画データとして記録メディアに記録する撮像装置において、
ＲＧＢ３色の発光ダイオードを光源とする照明手段と、
被写体の明るさを測定する測光手段と、
被写界の色温度を測定する色温度測定手段と、
前記測光手段の測定結果に基づいて前記撮像素子の適正露光量に対する不足光量を算出する演算手段と、
前記各発光ダイオードの発光を制御する制御手段であって、前記演算手段によって算出された不足光量分が発光されるように前記各発光ダイオードの発光量を制御するとともに、前記色温度測定手段によって測定された色温度となるように前記各発光ダイオードの発光量の比を制御する制御手段と、
を備えたことを特徴とする撮像装置。
【請求項３】
前記制御手段は、前記撮像素子の露光期間に同期して前記発光ダイオードが発光するように制御することを特徴とする請求項２に記載の撮像装置。
【発明の詳細な説明】
【０００１】
【発明の属する技術分野】
本発明は撮像装置に係り、特に動画撮影に使用可能な照明装置を備えた撮像装置に関する。
【０００２】
【従来の技術】
近年、コンパクトタイプのデジタルスチルカメラは多機能化しており、静止画の撮影機能だけではなく、動画の撮影機能を備えたものが増えている。また、一般にコンパクトタイプのデジタルスチルカメラは、カメラ本体にストロボを備えたものが多く、夜間など露光量が不足する場合には、このストロボを発光させて撮影が行なわれる。
【０００３】
しかしながら、従来のデジタルスチルカメラのストロボは、キセノン管を光源としているため、瞬間光しか発光させることができず、動画撮影には使用することができなかった。このため、夜間等にデジタルスチルカメラで動画撮影をする場合は、デジタルビデオカメラと同様にビデオライトを用いて撮影しなければならなかった。
【０００４】
そこで、このような動画撮影時の欠点を解消すべく、動画撮影時は垂直同期信号に同期させてストロボを発光させることにより、１つのストロボを静止画撮影と動画撮影の両方に使用できるようにすることが提案されている（たとえば、特許文献１）。
【０００５】
【特許文献１】
特開２００１−７６８９１号公報
【０００６】
【発明が解決しようとする課題】
しかしながら、キセノン管によるストロボ光は瞬間光であるため、垂直同期信号に同期させてストロボ光を発光させても、露光期間中の一瞬しか光を当てることができず、撮影された画像が不自然になるという欠点がある。
【０００７】
また、キセノン管によるストロボ光は、日中の太陽光とほぼ同じ色温度であるため、夕方などにストロボを用いて撮影した場合に不自然になり、撮影時の雰囲気が損なわれるという欠点がある。
【０００８】
本発明はこのような事情に鑑みてなされたもので、照明光を用いて自然な描写の動画撮影を行なうことができる撮像装置を提供することを目的とする。
【０００９】
【課題を解決するための手段】
請求項１に係る発明は、前記目的を達成するために、撮像素子で撮像される画像を所定の周期で連続的に取り込み、動画データとして記録メディアに記録する撮像装置において、発光ダイオードを光源とする照明手段と、前記発光ダイオードの発光を制御する制御手段であって、前記撮像素子の露光期間に同期して前記発光ダイオードが発光するように制御する制御手段と、を備えたことを特徴とする撮像装置を提供する。
【００１０】
本発明によれば、露光期間に同期して発光ダイオードから光が発光される。これにより、無駄な発光を防止して、省電力化を図ることができる。また、露光期間中、常に光を発光することにより、不自然さのない動画撮影を行なうことができる。
【００１１】
また、請求項２に係る発明は、前記目的を達成するために、撮像素子で撮像される画像を所定の周期で連続的に取り込み、動画データとして記録メディアに記録する撮像装置において、ＲＧＢ３色の発光ダイオードを光源とする照明手段と、被写体の明るさを測定する測光手段と、被写界の色温度を測定する色温度測定手段と、前記測光手段の測定結果に基づいて前記撮像素子の適正露光量に対する不足光量を算出する演算手段と、前記各発光ダイオードの発光を制御する制御手段であって、前記演算手段によって算出された不足光量分が発光されるように前記各発光ダイオードの発光量を制御するとともに、前記色温度測定手段によって測定された色温度となるように前記各発光ダイオードの発光量の比を制御する制御手段と、を備えたことを特徴とする撮像装置を提供する。
【００１２】
本発明によれば、被写界の色温度と同じ色温度の光が、適正露光量に対する不足光量を補うようにして発光される。これにより、撮影時の雰囲気を損なうことなく自然な画像を得ることができる。
【００１３】
また、請求項３に係る発明は、前記目的を達成するために、前記制御手段は、前記撮像素子の露光期間に同期して前記発光ダイオードが発光するように制御することを特徴とする請求項２に記載の撮像装置を提供する。
【００１４】
本発明によれば、被写界の色温度と同じ色温度の光が、適正露光量に対する不足光量を補うように露光期間に同期して発光される。これにより、撮影時の雰囲気を損なうことなく自然で均質な画像が得られる。また、露光期間中にのみ発光されることにより、電力消費も抑えることができる。
【００１５】
【発明の実施の形態】
以下、添付図面に従って本発明に係る撮像装置の好ましい実施の形態について詳説する。
【００１６】
図１は本発明が適用されたデジタルスチルカメラの構成を示すブロック図である。このデジタルスチルカメラ１０は、静止画と動画、両方の撮影機能を備えており、図示しないモード切替スイッチにて撮影モード（静止画撮影モード又は動画撮影モード）の切り替えを行なうことにより、静止画撮影と動画撮影とを選択的に行なうことができるようにされている。
【００１７】
被写体を示す画像光は、撮影レンズ１２及び絞り１４を介して撮像素子（ＣＣＤ）１６の受光面に結像される。ＣＣＤ１６の受光面には、多数のフォトセンサが平面的に配列されており、受光面に結像された被写体像は、各フォトセンサによって、その入射光量に応じた量の信号電荷に変換され、蓄積される。
【００１８】
各フォトセンサに蓄積された画像の信号電荷は、ＣＣＤ駆動回路１８から加えられるリードゲートパルスによってシフトレジスタに出力され、レジスタ転送パルスによって信号電荷に応じた電圧信号として順次出力される。
【００１９】
なお、ＣＣＤ１６は、ＣＣＤ駆動回路１８からシャッターゲートパルスを印加することにより、各フォトセンサに蓄積された信号電荷を掃き出すことができ、これにより、電荷の蓄積時間（露光時間）が制御される（いわゆる電子シャッタ機能）。
【００２０】
ＣＣＤ１６から順次読み出された画像の電圧信号は、相関二重サンプリング回路（ＣＤＳ回路）２０に加えられ、ここで各画素ごとのＲ、Ｇ、Ｂ信号がサンプリングホールドされ、Ａ／Ｄ変換器２２に加えられる。
【００２１】
Ａ／Ｄ変換器２２は、ＣＤＳ回路２０から順次加えられるアナログのＲ、Ｇ、Ｂ信号をデジタルのＲ、Ｇ、Ｂ信号に変換して出力する。そして、Ａ／Ｄ変換器２２から出力されたデジタルのＲ、Ｇ、Ｂ信号は、一旦メモリ１２６格納された後、デジタル信号処理回路２８に加えられる。
【００２２】
なお、上記のＣＣＤ駆動回路１８とＣＤＳ回路２０とＡ／Ｄ変換器２２は、タイミング発生回路２４から加えられるタイミング信号によって同期して駆動されている。
【００２３】
デジタル信号処理回路２８は、同時化回路３０、ホワイトバランス調整回路３２、ガンマ補正回路３４、ＹＣ信号作成回路３６、メモリ３８等で構成されている。
【００２４】
同時化回路３０は、メモリ２６から読み出された点順次のＲ、Ｇ、Ｂ信号を同時式に変換し、Ｒ、Ｇ、Ｂ信号を同時にホワイトバランス調整回路３２に出力する。
【００２５】
ホワイトバランス調整回路３２は、Ｒ、Ｇ、Ｂ信号のデジタル値をそれぞれ増減するための乗算器３２Ｒ、３２Ｇ、３２Ｂを備えている。同時化回路３０から出力されたＲ、Ｇ、Ｂ信号は、この乗算器３２Ｒ、３２Ｇ、３２Ｂに加えられる。乗算器３２Ｒ、３２Ｇ、３２Ｂの他の入力には、中央処理装置（ＣＰＵ）４０からホワイトバランス制御のためのホワイトバランス補正値（ゲイン値）が加えられており、乗算器３２Ｒ、３２Ｇ、３２Ｂは、このホワイトバランス補正値と同時化回路３０から出力されたＲ、Ｇ、Ｂ信号とを乗算してホワイトバランス補正を行なう。そして、ホワイトバランス補正されたＲ、Ｇ、Ｂ信号をガンマ補正回路３４に出力する。
【００２６】
ガンマ補正回路３４は、ホワイトバランス補正されたＲ、Ｇ、Ｂ信号に対して所望のガンマ特性となるように入出力特性を変更し、ＹＣ信号作成回路３６に出力する。
【００２７】
ＹＣ信号作成回路３６は、ガンマ補正されたＲ、Ｇ、Ｂ信号から輝度信号Ｙとクロマ信号Ｃｒ、Ｃｂとを作成する。これらの輝度信号Ｙとクロマ信号Ｃｒ、Ｃｂ（ＹＣ信号）は、メモリ２６と同じメモリ空間のメモリ３８に格納される。このメモリ３８内のＹＣ信号を読み出し、液晶モニタ４２に出力することにより、スルー画像が液晶モニタ４２に表示される。
【００２８】
ここで、カメラのモードが静止画撮影モードに設定された状態でカメラ操作部４４のレリーズボタンが押されると、静止画撮影が行なわれ、本画像のＹＣデータが、メモリ３８の所定領域に記憶される。この本画像のＹＣデータは、圧縮伸張処理回路４６によって所定のフォーマットに圧縮されたのち、記録部４８でメモリカードなどの記録媒体に記録される。
【００２９】
また、カメラのモードが動画撮影モードに設定された状態でカメラ操作部４４のレリーズボタンが押されると、動画撮影が開始され、ＹＣ信号作成回路３６からＹＣデータが所定の周期（たとえば、毎秒３０コマ）でメモリ３８の所定領域に取り込まれる。メモリ３８に取り込まれたＹＣデータは、３回に１回の割合で圧縮され、メモリ３８の所定領域に記憶される。そして、再びレリーズボタンが押されると、動画撮影は終了し、このときメモリ３８の所定領域に圧縮記憶された動画のＹＣデータが、記録部４８で記録媒体に記録される。
【００３０】
ＣＰＵ４０は、モードスイッチ、レリーズボタン、十字ボタン等を含むカメラ操作部４４からの入力情報に基づいて各回路を統括制御するとともに、オートフォーカス（ＡＦ）制御、自動露光（ＡＥ）制御、ホワイトバランス（ＡＷＢ）制御等の制御を行う。
【００３１】
ここで、ＡＦ制御は、例えばＧ信号の高周波成分が最大になるように撮影レンズ１２を移動させるコントラストＡＦであり、レリーズボタンの半押し時にＧ信号の高周波成分が最大になるように図示しないレンズ駆動部を介して撮影レンズ１２を合焦位置に移動させる。
【００３２】
また、ＡＥ制御は、Ｒ、Ｇ、Ｂ信号を取り込み、これらのＲ、Ｇ、Ｂ信号を積算した積算値に基づいて被写体の明るさ（撮像ＥＶ値）を求め、この撮像ＥＶ値に基づいて撮像時の絞り値とシャッタスピードを決定する。この際、撮影光量が不足している場合には、ストロボ装置６０からストロボ光を発光させる。
【００３３】
また、ＡＷＢ制御は、被写界の光源種（色温度）を測定し、その測定した光源種に応じたホワイトバランス補正を行う。この被写界の光源種の測定は、次のように行われる。
【００３４】
すなわち、Ｒ、Ｇ、Ｂ信号から、１画面を複数のエリア（たとえば８×８の６４エリア）に分割し、各エリアごとにＲ、Ｇ、Ｂ信号の色別の平均積算値を求める。これらの分割エリアごとのＲ、Ｇ、Ｂ信号の平均積算値は、積算回路５２によって算出され、ＣＰＵ４０に加えられる。積算回路５０とＣＰＵ４０との間には乗算器５２Ｒ、５２Ｇ、５２Ｂが設けられており、乗算器５２Ｒ、５２Ｇ、５２Ｂには、機器のバラツキを調整するための調整ゲイン値が加えられる。ＣＰＵ４０は、各分割エリアごとのＲ、Ｇ、Ｂ信号の平均積算値に基づいてデーライト（晴れ）、日陰−曇り、蛍光灯、タングステン電球等の光源種の判別を行う。
【００３５】
この光源種の判別は、分割エリアごとにＲ、Ｇ、Ｂ信号の色別の平均積算値の比Ｒ／Ｇ、Ｂ／Ｇを求め、続いて横軸をＲ／Ｇ、縦軸をＢ／Ｇとするグラフ上で、各光源種に対応する色分布の範囲を示す検出枠を設定する。そして、求めた各エリアごとの比Ｒ／Ｇ、Ｂ／Ｇに基づいて検出枠に入るエリアの個数を求め、被写体の輝度レベル及び検出枠に入るエリアの個数に基づいて光源種を判別する（特開２０００−２２４６０８  参照）  。
【００３６】
ＣＰＵ４０は、以上のようにして光源種（被写界の色温度）を求めると、その光源種に適したホワイトバランス補正値を決定し、その決定したホワイトバランス補正値（ゲイン値）を乗算器３２Ｒ、３２Ｇ、３２Ｂに出力する。これにより、乗算器３２Ｒ、３２Ｇ、３２Ｂからホワイトバランス調整されたＲ、Ｇ、Ｂ信号がガンマ補正回路３４に出力される。
【００３７】
ストロボ装置６０は、発光ダイオード（ＬＥＤ）を光源として構成されており、ＲＧＢ３色の発光ダイオードを発光させて、高輝度な白色光を発光させる。
【００３８】
図２は、ストロボ装置６０の発光部の構成を示す断面図である。同図に示すように、ストロボ装置６０の発光部は、ＲＧＢ３色のＬＥＤ６２Ｒ、６２Ｇ、６２Ｂ（以下、必要に応じて３色のＬＥＤ６２Ｒ、６２Ｇ、６２ＢをＬＥＤ群６２という）と、リフレクタ６４と、拡散板６６とで構成されている。
【００３９】
ＲＧＢ３色のＬＥＤ６２Ｒ、６２Ｇ、６２Ｂは、それぞれ回路基板６８に実装されている。リフレクタ６４は、このＬＥＤ群６２を取り囲むようにして回路基板６８に取り付けられており、ＬＥＤ群６２から放出された光を前方に向けて反射する。また、拡散板６６は、リフレクタ６４の内側に一体的に取り付けられており、ＬＥＤ群６２から放出される指向性の高い光を拡散させる。
【００４０】
図３はストロボ装置６０の構成を示すブロック図である。同図に示すように、ストロボ光源であるＲＧＢ３色のＬＥＤ６２Ｒ、６２Ｇ、６２Ｂは、メインコンデンサ７０に並列接続されており、このメインコンデンサ７０から電流が供給される。
【００４１】
また、各ＬＥＤ６２Ｒ、６２Ｇ、６２Ｂには、それぞれトランジスタ７２Ｒ、７２Ｇ、７２Ｂが接続されており、このトランジスタ７２Ｒ、７２Ｇ、７２ＢのベースにＯＮ／ＯＦＦのデューティ比が制御されたパルス信号を加えることにより、メインコンデンサ７０から各ＬＥＤ６２Ｒ、６２Ｇ、６２Ｂに流れる電流が制御される。すなわち、トランジスタ７２Ｒ、７２Ｇ、７２Ｂは、ベースに加えられたパルス信号のＯＮ期間だけメインコンデンサ７０からＬＥＤ６２Ｒ、６２Ｇ、６２Ｂに電流を流し、ＯＦＦ期間は電流を遮断する。これにより、各ＬＥＤ６２Ｒ、６２Ｇ、６２Ｂに流れる電流が制御され、各ＬＥＤ６２Ｒ、６２Ｇ、６２Ｂの発光量が制御される。ＣＰＵ４０は、各トランジスタ７２Ｒ、７２Ｇ、７２Ｂのベースに加えるパルス信号のＯＮ／ＯＦＦのデューティ比を制御することにより、各ＬＥＤ６２Ｒ、６２Ｇ、６２Ｂの発光時間を制御し、これにより、ストロボ光の発光量、色温度を制御する。
【００４２】
図４は、各ＬＥＤ６２Ｒ、６２Ｇ、６２ＢのＯＮ／ＯＦＦのデューティ比を調整してストロボ光の色温度（Ｒ、Ｇ、Ｂの発光量の比）を制御する場合のタイミングチャートを示している。すなわち、各ＬＥＤ６２Ｒ、６２Ｇ、６２ＢのＯＮ時間の比が、Ｒ、Ｇ、Ｂの発光量の比となるようにＬＥＤ６２Ｒ、６２Ｇ、６２ＢのＯＮ／ＯＦＦのデューティ比を決定する（図４では、Ｒ、Ｇ、Ｂの発光量の比が１：２：３であるものとして、ＬＥＤ６２Ｒ、６２Ｇ、６２ＢのＯＮ／ＯＦＦのデューティ比を設定する場合を例示している）。これにより、全体として所定の色温度に調整されたストロボ光が発光される。
【００４３】
なお、メインコンデンサ７０への充電は電源回路７４を介して行なわれ、電源回路７４は、カメラに装填された電池７６の電圧を所定電圧に昇圧してメインコンデンサ７０を充電する。システムを構成する各回路への電源供給もこの電源回路７４を介して行なわれ、ＣＰＵ４０は、この電源回路７４を制御して、各回路への電源供給を制御する。
【００４４】
また、静止画撮影時のストロボ光の調光制御は調光回路７８を介して行なわれ、調光回路７８は所定光量のストロボ光が発光されると、ＣＰＵ４０に発光停止信号を出力する。すなわち、ＬＥＤ群６２からストロボ光が発光されると、ストロボ調光用の受光センサ８０を介してストロボの反射光が受光され、その受光量が、あらかじめ設定された基準値と一致すると、調光回路７８がＣＰＵ４０に発光停止信号を出力する。ＣＰＵ４０は、この発光停止信号を受けると、ＬＥＤ群６２に流れる電流を遮断して、ＬＥＤ群６２の発光を停止させる。なお、ＣＰＵ４０は、ストロボ発光に際して所望のストロボ発光量を得るための発光量調整用の基準値を調光回路７８に出力する。
【００４５】
図５は、ストロボ撮影時におけるＬＥＤの発光制御の手順を示すフローチャートである。
【００４６】
同図に示すように、まず、撮影モードが判定される（ステップＳ１０）。すなわち、設定されている撮影モードが、静止画撮影モードか動画撮影モードか判定される。この判定はカメラ操作部４４のモード切替スイッチからの出力に基づき行なわれる。
【００４７】
静止撮影モードに設定されている場合、まず、レリーズボタンの半押し（スイッチＳ１がＯＮ）の有無が判定され（ステップＳ１２）、スイッチＳ１がＯＮされると、ステップＳ１４に進んでＡＥ、ＡＦ、ＡＷＢ制御が行われる。すなわち、被写体の明るさ（撮影ＥＶ値）が測定され、その測定された撮影ＥＶ値から絞り値とシャッタースピード（電荷蓄積時間）が決定される。また、被写体のコントラスト情報に基づいて主要被写体にピントが合うように撮影レンズ１２が駆動される。また、被写界の色温度が測定され、ホワイトバランス補正値が決定されるとともに、その色温度と同じ色温度の光を発光させるために必要な各ＬＥＤ６２Ｒ、６２Ｇ、６２ＢのＯＮ／ＯＦＦのデューティ比が決定される。
【００４８】
続いて、レリーズボタンの全押し（スイッチＳ２がＯＮ）の有無が判定され（ステップＳ１６）、スイッチＳ２がＯＮされた場合には、ステップＳ１４で決定された絞り値及びシャッタースピードで撮影が行なわれる。そして、この露光に同期して被写界の色温度と同じ色温度のストロボ装置６０が発光される。すなわち、ステップＳ１４で求めた被写界の色温度と同じ色温度の光がＬＥＤ群６２から発光されるようにデューティ比が制御されたパルス信号がトランジスタ７２Ｒ、７２Ｇ、７２Ｂのベースに加えられ、Ｒ、Ｇ、Ｂ、の各ＬＥＤ６２Ｒ、６２Ｇ、６２Ｂに電流が流される。
【００４９】
ＬＥＤ群６２が発光を開始すると、調光制御が行なわれ、受光センサ８０に入射した光量が所定の光量に達したか否かが判定される（ステップＳ２０）。すなわち、調光回路７８から発光ＯＦＦ信号（調光ＯＫ）が発せられたか否かが判定され、発光ＯＦＦ信号が発せられると、ＬＥＤ群６２への電流供給が停止され、発光が停止される（ステップＳ２２）。一方、調光ＯＫでない場合には、露光時間が経過したか否かが判定され（ステップＳ２４）、調光完了前に露光時間が経過した場合にもＬＥＤ群６２の発光が停止される。
【００５０】
このように、静止画撮影モードでストロボ撮影する場合は、被写界と同じ色温度のストロボ光を発光させて撮影が行なわれる。これにより、撮影時の雰囲気を損なうことなくストロボ撮影を行なうことができる。
【００５１】
一方、動画撮影モードの場合は、次のようにストロボ発光が制御される。すなわち、ステップＳ１０でカメラのモードが動画撮影モードと判定されると、まず、レリーズボタンの全押し（スイッチＳ２がＯＮ）の有無が判定される（ステップＳ２６）。
【００５２】
ここで、スイッチＳ２がＯＮされると、ステップＳ２８に進んで被写界の色温度が測定され（ステップＳ２８）、その色温度と同じ色温度の光を発光させるために必要な各ＬＥＤ６２Ｒ、６２Ｇ、６２ＢのＯＮ／ＯＦＦのデューティ比が決定される。
【００５３】
この後、録画が開始され、この録画開始とともに被写界と同じ色温度に調節されたストロボ光が一定光量で発光される（ステップＳ３０）。すなわち、デューティ比が制御されたパルス信号が、トランジスタ７２Ｒ、７２Ｇ、７２Ｂのベースに加えられ、メインコンデンサ７０から各ＬＥＤ６２Ｒ、６２Ｇ、６２Ｂに電流が流される。これにより、被写界の色温度と同じ色温度の光がＬＥＤ群６２から発光される。
【００５４】
このストロボ光の発光は、ＣＣＤ１６の露光期間に同期して行なわれ、ＣＣＤ１６の露光期間中にのみ発光される（ＣＣＤ１６の露光期間中にのみ各ＬＥＤ６２Ｒ、６２Ｇ、６２Ｂに電流が流される。）。より詳しくは、次のように発光制御される。
【００５５】
図６は、動画撮影時におけるストロボ装置の発光制御のタイミングチャートである。同図において、（ａ）はスイッチＳ２のＯＮ信号、（ｂ）は色温度の読み取り期間、（ｃ）は録画期間、（ｄ）はＣＣＤの露光期間、（ｅ）はストロボ光の発光期間を示している。
【００５６】
図６に示すように、スイッチＳ２のＯＮ信号が入力されると、外光の色温度が測定され、その後、録画が開始される。録画開始と同時に一定の周期でＣＣＤ１６が露光され、このＣＣＤ１６の露光期間に同期してストロボ装置６０が発光される。これにより、無駄な発光を防止でき、省電力化を図ることができる。また、露光期間中、常にストロボ光が発光されるので、不自然さのない動画撮影を行なうことができる。
【００５７】
このように、録画中、ストロボ光はＣＣＤ１６の露光期間に同期して発光される。そして、この録画中にレリーズボタンの全押し（スイッチＳ２がＯＮ）の有無が判定され（ステップＳ３２）、スイッチＳ２がＯＮされると、録画が停止されるとともに、ＬＥＤ群６２への電流供給が停止されて、発光が停止される（ステップＳ２２）。
【００５８】
以上説明したように、本実施の形態のデジタルスチルカメラ１０は、１つのストロボ装置６０を静止画撮影と動画撮影の両方に使用することができる。そして、各撮影時に被写界の色温度と同じ色温度の光を発光させて撮影することができるので、撮影時の雰囲気を損なうことなく撮影することができる。
【００５９】
また、動画撮影時には、ＣＣＤ１６の露光期間に同期してストロボ光を発光させることにより、無駄な発光をなくして、省電力化を図ることができる。また、露光期間中、常にストロボ光を発光させるので、不自然さのない動画撮影を行なうことができる。
【００６０】
なお、本実施の形態では、動画撮影時にストロボ光の色温度を被写界の色温度と同じ色温度に調節して発光させているが、一定の色温度（たとえば、日中の太陽光（デーライト）と同じ色温度）のストロボ光をＣＣＤ１６の露光期間に同期させて発光させてもよい。この場合は必ずしもＲＧＢ３色のＬＥＤをストロボ光源にする必要はなく、高輝度で白色発光するＬＥＤをストロボ光源に用いてもよい。
【００６１】
また、本実施の形態では、動画撮影時に一定光量のストロボ光を発光させているが、適正露光量に対する不足光量分のみを発光させるようにしてもよい。すなわち、所定の絞り値、シャッタースピードで撮影する際、その適正露光量に対する不足光量を測光結果（撮影ＥＶ値）に基づいて算出し、その不足光量分だけストロボ装置６０から発光させるようにしてもよい。これにより、無駄な発光を防いで省電力化を図ることができる。なお、この際、被写界の色温度と同じ色温度のストロボ光を発光させることにより、撮影時の雰囲気を損なうことなく、動画撮影を行なうことができる。
【００６２】
また、本実施の形態では、静止画撮影時に調光回路７８を介してストロボ光の調光制御を行なっているが、被写体の明るさ及び被写体距離に基づき事前に発光量を決定し、その決定した発光量が露光時間（シャッタースピードの時間）内に発光されるようにＬＥＤ群６２の発光制御を行なうようにしてもよい。
【００６３】
さらに、本実施の形態では、ＲＧＢ３色のＬＥＤをそれぞれ１つずつ用いてストロボ光源を構成しているが、ＬＥＤの設置数は、これに限定されるものではない。また、Ｒ、Ｇ、Ｂ、各ＬＥＤの数もそれぞれ同数である必要はなく、フル発光させたときに白色光となるような割合で配設するようにしてもよい。
【００６４】
図７は、ストロボ装置の第２の実施の形態の構成を示すブロック図である。本実施の形態のストロボ装置は、オペアンプにて各ＬＥＤに流れる電流量を制御する。なお、上述した実施の形態のストロボ装置と同じ構成部材には同じ符号を付して、その説明は省略する。
【００６５】
図７に示すように、ストロボ光源であるＲＧＢ３色のＬＥＤ６２Ｒ、６２Ｇ、６２Ｂは、メインコンデンサ７０に並列接続されており、このメインコンデンサ７０からオペアンプ８２Ｒ、８２Ｇ、８２Ｂを介して電流が供給される。ＣＰＵ４０は、オペアンプ８２Ｒ、８２Ｇ、８２ｂを制御し、Ｒ、Ｇ、Ｂの各ＬＥＤ６２Ｒ、６２Ｇ、６２Ｂの発光量、発光時間を制御する。
【００６６】
すなわち、ＣＰＵ４０は、ストロボ発光時、被写界の色温度の測定結果に基づき同じ色温度の光がストロボ装置から発光されるように、Ｒ、Ｇ、Ｂの各ＬＥＤ６２Ｒ、６２Ｇ、６２Ｂの発光量比を決定する。そして、この比に対応するＲ、Ｇ、Ｂ発光レベルを設定し、そのＲ、Ｇ、Ｂ発光レベルを示す制御信号を各オペアンプ８２Ｒ、８２Ｇ、８２Ｂの正入力に出力する。オペアンプ８２Ｒ、８２Ｇ、８２Ｂの負入力には、各ＬＥＤ６２Ｒ、６２Ｇ、６２Ｂに流れる電流値に対応した信号が加えられており、オペアンプ８２Ｒ、８２Ｇ、８２Ｂは、設定されたＲ、Ｇ、Ｂ発光レベルに対応した定電流が各ＬＥＤ６２Ｒ、６２Ｇ、６２Ｂに流れるように制御する。これにより、ＬＥＤ群６２から全体として被写界の色温度と同じ色温度のストロボ光が発光される。
【００６７】
また、動画撮影時には、ＣＣＤの露光期間に同期してストロボ光が発光されるようにオペアンプ８２Ｒ、８２Ｇ、８２Ｂを制御する。
【００６８】
このように、オペアンプ８２Ｒ、８２Ｇ、８２Ｂによって各ＬＥＤ６２Ｒ、６２Ｇ、６２Ｂに流れる電流量を制御することによっても、ストロボ光の色温度の調節を行なうことができ、また、ＣＣＤの露光期間に同期させて発光させることができる。
【００６９】
なお、上述した一連の実施の形態では、ストロボ装置がカメラ本体に組み込まれている場合を例に説明したが、ストロボ装置をカメラ本体に外付けするタイプのカメラにも本発明を適用することができる。
【００７０】
また、上述した一連の実施の形態では、本発明をデジタルスチルカメラに適用した場合を例に説明したが、ビデオカメラにも同様に適用することができる。この場合、ビデオカメラは、静止画と動画の両方の撮影機能を備えていてもよいし、また、動画の撮影機能のみであってもよい。なお、本実施の形態のように、デジタルスチルカメラに本発明を適用することにより、１つのストロボ装置を静止画と動画の両方の撮影時に使用することができる。
【００７１】
【発明の効果】
以上説明したように、本発明によれば、露光期間に同期して発光ダイオードから光を発光されるので、無駄な発光を防止でき、省電力化を図ることができる。また、露光期間中、常に光を発光することにより、不自然さのない動画撮影を行なうことができる。
【００７２】
また、本発明によれば、被写界の色温度と同じ色温度の光が適正露光量に対する不足光量分を補うようにして発光されるので、撮影時の雰囲気を損なうことなく自然な画像を得ることができる。
【図面の簡単な説明】
【図１】本発明が適用されたデジタルスチルカメラの構成を示すブロック図
【図２】ストロボ装置の発光部の構成を示す断面図
【図３】ストロボ装置の構成を示すブロック図
【図４】Ｒ、Ｇ、Ｂの各ＬＥＤのＯＮ／ＯＦＦのデューティ比を調整してストロボ光の色温度（Ｒ、Ｇ、Ｂの発光量の比）を制御する場合のタイミングチャート
【図５】ストロボ撮影時におけるＬＥＤの発光制御の手順を示すフローチャート
【図６】動画撮影時におけるストロボ装置の発光制御のタイミングチャート
【図７】ストロボ装置の第２の実施の形態の構成を示すブロック図
【符号の説明】
１０…デジタルスチルカメラ、１２…撮影レンズ、１４…絞り、１６…撮像素子（ＣＣＤ）、１８…ＣＣＤ駆動回路、２０…相関二重サンプリング回路（ＣＤＳ回路）、２２…Ａ／Ｄ変換器、２４…タイミング発生回路、２６…メモリ、２８…デジタル信号処理回路、３０…同時化回路、３２…ホワイトバランス調整回路、３２Ｒ、３２Ｇ、３２Ｂ…乗算器、３４…ガンマ補正回路、３６…ＹＣ信号作成回路、３８…メモリ、４０…中央処理装置（ＣＰＵ）、４２…液晶モニタ、４４…カメラ操作部、４６…圧縮伸張処理回路、４８…記録部、５０…積算回路、５２Ｒ、５２Ｇ、５２Ｂ…乗算器、６０…ストロボ装置、６２…ＬＥＤ群、６２Ｒ、６２Ｇ、６２Ｂ…発光ダイオード（ＬＥＤ）、６４…リフレクタ、６６…拡散板、６８…回路基板、７０…メインコンデンサ、７２Ｒ、７２Ｇ、７２Ｂ…トランジスタ、７４…電源回路、７６…電池、７８…調光回路、８０…受光センサ、８２Ｒ、８２Ｇ、８２Ｂ…オペアンプ
【図１】
2004242123.tif 000003
【図２】
2004242123.tif 000004
【図３】
2004242123.tif 000005
【図４】
2004242123.tif 000006
【図５】
2004242123.tif 000007
【図６】
2004242123.tif 000008
【図７】
2004242123.tif 000009